(57)【要約】【課題】  箸の使い方（摘まむ、裂く、押さえる、丸める、運ぶ等）を誰でも簡単に練習することができ、習得できる方法を提供する。【解決手段】  箸先動作の指標となる指標線が付された指標線付き紙１００をトレイ１０に載置し、当該指標線付き紙１００に水分を含ませるようにし、箸２０を使って当該水分を含んだ指標線付き紙１００を当該指標線に沿って折り曲げたり裂いたりする等の習得動作を行うことによって箸の使い方を習得する。【選択図】図１
2014079357.tif 000002
【特許請求の範囲】
【請求項１】
箸先動作の指標となる指標線が付された指標線付き紙をトレイに載置し、
当該指標線付き紙に水分を含ませるようにし、
箸を使って当該水分を含んだ指標線付き紙を前記指標線に沿って折り曲げたり裂いたりする等の習得動作を行うことによって箸の使い方を習得する方法。
【請求項２】
請求項１において、
前記指標線付き紙の指標線は、魚を開いた状態を模した柄として構成されていて且つ中央で２つ折りすると一匹の魚を表す様に構成されていることによって、箸を使った魚の食べ方を習得できる
ことを特徴とする箸の使い方を習得する方法。
【請求項３】
請求項２において、
前記指標線付き紙を２つ折りする際に骨状模様を付した透明シートを間に挟み込むことによって魚の骨の取り扱い方を習得できる
ことを特徴とする箸の使い方を習得する方法。
【請求項４】
請求項３において、
前記透明シートはセロファンテープである
ことを特徴とする箸の使い方を習得する方法。
【請求項５】
請求項１〜４に記載の箸の使い方を習得する方法に使用する指標線付き紙。
【発明の詳細な説明】
【技術分野】
【０００１】
本発明は、箸の使い方を習得する方法に関する発明である。
【背景技術】
【０００２】
従来から、箸を正しく使用する目的で様々な発明がなされている。例えば特許文献１に開示されている箸は、２本の箸の夫々に指を通す「指通し」を設け、当該「指通し」に指を通した状態で箸を把持使用するというものである。
【０００３】
また、特許文献２に開示されている箸は、２本の箸が可撓性素材で連結されており、当該連結部を支点として箸が可動するというものである。
【０００４】
また、特許文献３に記載の練習用具は、箸の先端にミニカスタネット状の打片（打片同士が接触すると音を発する）を設け、当該打片同士を接触させることによって音を発し、当該発生した音によって箸が正確に操作されているかが分かるというものである。
【先行技術文献】
【特許文献】
【０００５】
【特許文献１】特開平１０−１３７１０１号公報
【特許文献２】特開２００４−２１６０８８号公報
【特許文献３】実用新案登録第３１１８７４５号公報
【発明の概要】
【発明が解決しようとする課題】
【０００６】
しかしながら、上記特許文献１及び２に記載の発明は、箸の持ち方自体を矯正するものであって、実際に箸の使い方を練習して習得しようとするものではない。また、特許文献３の発明に関しても、箸の開閉動作の習得が出来るに過ぎず、実際に箸を使って食事する際の様々な箸先の使い方（例えば、摘まむ、裂く、押さえる、丸める、運ぶ等）を一度に練習・習得できるものではない。
【０００７】
そこで本発明は、箸の持ち方そのものではなく、箸先の様々な使い方（動作）を練習して習得するための方法を提供するものである。
【課題を解決するための手段】
【０００８】
上記課題を解決するべく、本願発明は、箸先動作の指標となる指標線が付された指標線付き紙をトレイに載置し、当該指標線付き紙に水分を含ませるようにし、箸を使って当該水分を含んだ指標線付き紙を前記指標線に沿って折り曲げたり裂いたりする等の習得動作を行うことによって箸の使い方を習得することを特徴とする。
【０００９】
本発明の特徴の一つは、トレイに載置した紙に水分を含ませた上で、箸を使って当該紙を折り曲げる等する点にある。水分を含んだ紙は、トレイとの間で若しくは紙同士の間で水の表面張力に起因する吸着力が発生するので、紙端部がトレイから浮くようなことがなく、正確な箸先の操作を行わないと摘まむことすら出来ない。更に紙が水分を含んでいることによって雑な箸先操作では紙が破れてしまい、雑な操作であることを一目で確認することもできる。更に紙に水分を含ませる事によってその紙を「裂く」といった操作も可能となるので、習得できる箸先操作のバリエーションが多いという特徴もある。実際に箸を使って食事する際の食べ物は程度の差こそあれ水分を多く含んでいるものが多いので、実際の食べ物を取り扱っている状態に近い状態を紙に水分を含ませることによって忠実に再現できているとも言える。
【００１０】
また、前記指標線付き紙の指標線は、魚を開いた状態を模した柄として構成されていて且つ中央で２つ折りすると一匹の魚を表す様に構成されていることによって、箸を使った魚の食べ方を習得できることを特徴とする。
【００１１】
こういった構成の紙を使用する事によって、見た目も楽しく、更に実際の食材（ここでは魚）を明確にイメージしながら且つ魚の食べ方を同時に習得しながら箸先操作を練習することができる。更に大人も子供も楽しみながら練習することが出来るというメリットもある。
【００１２】
また、前記指標線付き紙を２つ折りする際に骨状模様を付した透明シートを間に挟み込むことによって魚の骨の取り扱い方を習得できることを特徴とする。
【００１３】
魚の姿をそのまま残した所謂「煮魚」「焼魚」等は、箸を使って食事をする際に綺麗に食べ難い食材の代表である。特に魚の骨の取り扱い方（何時の時点で骨を取り除けば良いのか等）を知らない者（子供など）に対して実際の魚を食べるときの様に練習することができる。
【００１４】
また、前記透明シートはセロファンテープであることを特徴とする。
【００１５】
セロファンテープを使用する事で２つの大きなメリットがある。一つは糊が付着しているので、（指標線付き紙に対して）位置が固定され、箸で操作している際の「ズレ」を防止することが出来る。２つ目は、紙に水分を含ませて練習するので、その水分によって糊の（紙に対する）接着力が適度に弱められ、骨を取り外す練習をする際に「適度な取り外し難さ」が自然に再現できるという点である。
【発明の効果】
【００１６】
本発明を適用することで、箸の使い方（摘まむ、裂く、押さえる、丸める、運ぶ等）を誰でも簡単に練習でき、習得できる。
【図面の簡単な説明】
【００１７】
【図１】本発明に係る指標線付き紙の正面図である。
【図２】本発明に係る箸の使い方を習得する第１の方法を手順に沿って示した図であり、（ａ）が指標線付き紙をトレイに（裏面を上に向けて）載置した状態で霧吹きによって水分を含ませている状態を示した図、（ｂ）が箸を使って指標線付き紙の下辺中央を摘まんでいる状態を示した図、（ｃ）が指標線付き紙を２つ折りにした状態を示した図である。
【図３】本発明に係る箸の使い方を習得する第１の方法を手順に沿って示した図であり、（ａ）が２つ折り状態の指標線付き紙の左下端を摘まんで折り曲げている状態を示した図、（ｂ）が同様に左上端を折り曲げた状態を示した図、（ｃ）が右端近傍を上下に摘まんで魚の尻尾相当部分を作り出した状態を示した図、（ｄ）がそのまま全体を裏返した状態を示した図である。
【図４】本発明に係る箸の使い方を習得する第２の方法を手順に沿って示した図であり、（ａ）が指標線付き紙の所定の部分にハサミで切り込みを入れている状態を示した図、（ｂ）が指標線付き紙の裏面の所定位置にセロファンテープを貼付し、その貼付したセロファンテープに油性ペンで骨状模様を描いている状態を示した図、（ｃ）がその後第１の方法と同様の過程を経た後、背腹身分割ラインに沿って箸で指標線付き紙を裂いている状態を示した図である。
【図５】本発明に係る箸の使い方を習得する第２の方法を手順に沿って示した図であり、（ａ）が頭部分割ラインに沿って箸で指標線付き紙を裂いている状態を示した図、（ｂ）が表面背身相当部分を丸めて取り除いている状態を示した図、（ｃ）が骨に相当する透明シートを取り外している状態を示した図である。
【図６】本発明に係る箸の使い方を習得する第２の方法を手順に沿って示した図であり、（ａ）が裏面側の身を背腹身分割ラインに沿って箸で指標線付き紙を裂いている状態を示した図、（ｂ）が裏面側背身相当部分を丸めて取り除いている状態を示した図、（ｃ）が同様に裏面側腹身相当部分を取り除き終わった状態を示した図である。
【発明を実施するための形態】
【００１８】
以下、添付図面を参照しつつ、本発明の実施形態の一例である箸の使い方習得方法について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１９】
〈指標線付き紙の構成〉
図１に示しているのが、本発明に係る箸の使い方を習得する方法に使用する指標線付き紙１００である。本実施形態においては、この指標線付き紙１００は懐紙（和紙）を利用して構成されている。
【００２０】
指標線付き紙１００には、箸で「摘まむ」「裂く」等の箸先操作を行う際の目標となる各種指標線が模様として描かれている。本実施形態においては矩形の紙全体に、魚を開いた状態（例えば腹開きの状態）を模した各種指標線がデザインとして描かれている。
【００２１】
具体的には、魚を開いた際の背びれ相当部分として中央折曲ライン（指標線）１０１が描かれている。この中央折曲ライン１０１を境に、一方を第１の部位１００ａ、他方を第２の部位１００ｂと便宜的に定義する。これら第１、第２の部位１００ａ、１００ｂには夫々略対応する模様やラインが描かれている。左右方向中央よりやや左位置には上下に頭部分割ライン（指標線）１０３が描かれている。
【００２２】
頭部切断ライン１０３の左方には、第１、第２の部位１００ａ、１００ｂのそれぞれに略正方形の模様が描かれており、これが魚の頭部イメージデザイン（指標線）１０７、１０８である。またこれら頭部イメージデザイン１０７、１０８の略中央には、魚の目をイメージした目部イメージデザイン１０５、１０６が描かれている。
【００２３】
また、指標線付き紙１００の右辺近傍には、上下方向に尾部ライン（指標線）１０４が描かれている。この尾部ライン１０４より更に右側には、第１、第２の部位１００ａ、１００ｂのそれぞれに略三角形の模様が描かれており、これが魚の尻尾をイメージした尾部イメージデザイン（指標線）１１１、１１２である。
【００２４】
頭部分割ライン１０３及び尾部ライン１０４の間にも、第１、第２の部位１００ａ、１００ｂのそれぞれに略正方形の模様が描かれており、これが魚の体幹をイメージした体幹部イメージデザイン（指標線）１０９、１１０である。また夫々の体幹部イメージデザイン１０９、１１０の上下方向中程には、左右方向に沿って背腹身分割ライン（指標線）１０２、１１３が描かれている。第１の部位１００ａ側に描かれている背腹身分割ラインを第１の背腹身分割ライン１０２、第２の部位１００ｂ側に描かれている背腹身分割ラインを第２の背腹身分割ライン１１３と定義する。
【００２５】
なお上述の各指標線は、本実施形態では指標線付き紙１００の片面にのみ描かれているが、両面に印刷する事も可能である。
【００２６】
〈箸の使い方を練習する手順〉
以下、上記説明した指標線付き紙１００を用いて、箸の使い方を習得する第１の方法を手順に沿って説明する。
【００２７】
最初に図２（ａ）に示しているように、指標線付き紙１００を裏返した状態で（指標線が描かれていない面を上面にして）アルミトレイ１０の上に載置する。この時向かって左側に頭部イメージデザイン１０７、１０８が位置するように載置する。即ち、向かって手前側に第１の部位１００ａが、奥方向に第２の部位１００ｂが位置するようにアルミトレイ１０の上に載置する。その状態で霧吹き等を使って指標線付き紙１００全体に万遍なく水を吹きかける。これにより指標線付き紙１００が水分を含み水の表面張力によってアルミトレイ１０に張り付く。更に水を吹きかける事によって、裏面側にも各種指標線が透けてハッキリと視認することができるようになる。なお、以下説明する手順の過程において、水分が不足していると感じた場合は同様に適宜霧吹き等で水分を与えてもよい。
【００２８】
次に図２（ｂ）に示している様に、指標線付き紙の下辺中央付近を箸２０で摘まみ、透けた中央折曲ライン１０１に沿って図２（ｃ）のように上下半分になるように指標線付き紙１００を折り曲げる。なお、図２（ｂ）以降の図面は、アルミトレイ１０を省略して表示しているが、実際にはアルミトレイ１０上で行われている。更に中央折曲ライン１０１の部分が少し浮いた状態となっているので、箸２０を使って当該中央折曲ライン１０１に沿って左方向から（頭部イメージデザイン１０８側から）右方向に（尾部イメージデザイン１１２側に）向かって折り目を押さえるようにして綺麗に折り目を付ける。これら一連の動作によって、第１の部位１００ａが上側に、第２の部位１００ｂが下側に重なることとなる。更に箸２０を使って２つ折りにした指標線付き紙１００全体を、アルミトレイ１０の中央付近にずらすようにして移動させる。
【００２９】
次に、図３（ａ）に示しているように、２つ折りした状態の指標線付き紙１００の左下端を箸２０で摘まみ、当該左下端を目部イメージデザイン１０６の位置まで折り曲げ、折り目を箸２０で押さえて綺麗に折り目を付ける。同様に、図３（ｂ）に示しているように、２つ折りした状態の指標線付き紙１００の左上端を箸２０で摘まみ、当該左上端を目部イメージデザイン１０６の位置まで折り曲げ、折り目を箸２０で押さえて綺麗に折り目を付ける。その後、図３（ｃ）に示しているように、尾部ライン１０４に沿って上下方向から箸２０で指標線付き紙１００全体を摘まんで絞るようにすることで、全体が魚の形状となる。最後にそのまま全体を反転させて（即ち第２の部位１００ｂが上面側に位置するように反転させて）終了する。
【００３０】
このように、上述して一連の動作において、摘まむ、折り曲げる、ずらす、押さえる、絞る、摘まんだ状態で反転させる（ひっくり返す）といった様々な箸の使い方を練習することができる。なお、更にこの続きとして、後述する第２の方法の様に「裂く」等の操作を練習する事も可能である。
【００３１】
次に、図４〜６を参照しつつ、箸の使い方を習得する第２の方法を手順に沿って説明する。
【００３２】
最初に、図４（ａ）に示しているように、ハサミ１２等を使用して、指標線付き紙１００の中央折曲ライン１０１に沿って尾部側から頭部切断ライン１０３に至るまで切り込みを入れる。次に図４（ｂ）に示しているように、指標線付き紙１００を裏返し、第１部位１００ａ側の第１の背腹分割ライン１０２に相当する位置にセロファンテープ（透明シート）１２０を貼付する。このセロファンテープ１２０の長さは、頭部切断ライン１０３と尾部ライン１０４の間に収まる範囲の長さとするのが好ましい。更に当該セロファンテープ１２０の表面に、油性マジック等で骨状模様１２２を描く。
【００３３】
切り込みを入れ、且つセロファンテープ１２０を貼付して骨状模様１２２を描いたら、その後は第１の方法と同様の過程を経る。この点は重複説明となるので割愛する。
【００３４】
第１の方法と同様の工程を経ると、図４（ｃ）に示しているように、第２の部位１００ｂが上面側に位置しているので、第２の背腹分割ライン１１３に沿って、指標線付き紙１００を上下に裂いていく。この時、重なり合っている第２の部位１００ｂと第１の部位1００ａとの間にはセロファンテープ１２０が存在しており、当該セロファンテープ１２０は第１の部位１００ａ側に貼付されているので、上下に裂かれるのは第２の部位１００ｂ側だけに止まる。更に裂くことによって下にある骨状模様１２２が付されたセロファンテープ１２０が露出する。
【００３５】
続いて、図５（ａ）に示しているように、箸２０を使って、頭部分割ライン１０３に沿って裂き、頭部を切り離す。ここでは第１の部位１００ａと第２の部位１００ｂの間にセロファンテープ１２０が存在していないので、重なり合った状態のまま纏めて裂くようにし、頭部を切り離す。
【００３６】
その後、図５（ｂ）に示しているように、第２の背腹分割ライン１１３に沿って裂いたことによって上下に分かれている第２の部位１００ｂを夫々箸２０を使って頭部側から丸めるようにして取り外す。
【００３７】
続いて、図５（ｃ）に示しているように、全体が露出したセロファンテープ１２０を箸２０で摘まんで取り外す。この時、セロファンテープ１２０は自身の粘着層によって第１の部位１００ａ側に張り付いているが、指標線付き紙１００は水分を含んでいるのでその水分によって糊の（紙に対する）接着力が適度に弱められ、骨を取り外す練習をする際に「適度な取り外し難さ」が自然に再現できることとなる。
【００３８】
骨に相当するセロファンテープ１２０を取り外し終えたら、図６に示しているように、今度は残った第１の部位１００ａを第１の背腹分割ライン１０２に沿って裂いた後、同様に分割された上下の第１の部位１００ａを夫々丸めて取り外し練習終了となる。
【００３９】
このように、第２の方法においては、第１の方法で練習することができた、摘まむ、折り曲げる、ずらす、押さえる、絞る、摘まんだ状態で反転させる（ひっくり返す）といった様々な箸の操作に加えて、裂く、丸める、剥がすといった操作を練習することができる。更に、裂くという操作においては、重なり合った２枚の指標線付き紙１００を２枚纏めて裂いたり、１枚のみを裂いたりと、力加減の異なる「裂く」という操作を練習・習得することが可能となっている。
【００４０】
〈その他の構成例〉
上記では、指標線付き紙１００に描かれていた各種指標線が、魚を模したデザインとなっていたがこれに限るものでは無い。その他の食材を模したデザインであってもよいし、食材で無くとも、箸使いの練習として相応しいデザインであればどのようなデザインを採用することも可能である。
【００４１】
また上記の指標線付き紙１００は、和紙で作られた懐紙を利用していたが、それ以外の紙であってもよい。更には紙以外であっても、水分を含む事ができ、且つ水分を含んだ状態で箸先を使って裂く等の操作を行う事が出来る性質を備えている限り、例えば不織布等の素材を利用することも可能である。
【００４２】
また上記ではアルミトレイ１０を利用しているがこれに限られない。例えば陶器でできたお皿など（ただし素焼きのものを除く）を利用しても良い。これらを利用することで、指標線付き紙１００が水分を含んだ状態でもある程度滑りが良いので、不用意に紙が破れてしまうことを防止することができる。
【００４３】
また上記では、指標線付き紙１００を中央折曲ライン１０１にそって２つ折りにした状態で練習しているが、例えば初心者などが練習する場合には、中央折曲ライン１０１に従って指標線付き紙１００を上下に２分割し、折り曲げて重ね合わせない状態（１枚の状態）で練習する事も可能である。
【００４４】
また、上記では透明シートとしてセロファンテープを利用しているが、それ以外にも透明な樹脂片などを利用しても良い。
【符号の説明】
【００４５】
１０・・・アルミトレイ
２０・・・箸
１００・・・指標線付き紙（懐紙）
１００ａ・・・第１の部位
１００ｂ・・・第２の部位
１０１・・・中央折曲ライン
１０２・・・第１の背腹身分割ライン
１０３・・・頭部分割ライン
１０４・・・尾部ライン
１０５、１０６・・・目部イメージデザイン
１０７、１０８・・・頭部イメージデザイン
１０９、１１０・・・体幹部イメージデザイン
１１１、１１２・・・尾部イメージデザイン
１１３・・・第２の背腹身分割ライン
１２０・・・セロファンテープ（透明シート）
１２２・・・骨状模様
【図１】
2014079357.tif 000003
【図２】
2014079357.tif 000004
【図３】
2014079357.tif 000005
【図４】
2014079357.tif 000006
【図５】
2014079357.tif 000007
【図６】
2014079357.tif 000008
【手続補正書】
【提出日】平成24年12月7日(2012.12.7)
【手続補正１】
【補正対象書類名】特許請求の範囲
【補正対象項目名】請求項５
【補正方法】変更
【補正の内容】
【請求項５】
請求項１〜４のいずれか一項に記載の箸の使い方を習得する方法に使用する指標線付き紙。